(57)【要約】【課題】  組み立て、折り畳みが簡単であるとともに、組み立てた状態の強度が高い折り畳み式テーブルを提供する。【解決手段】  同一形状の略Ｕ字形の第１、第２及び第３の脚体１１ａ〜１１ｃと、前記第１、第２及び第３の脚体の各縦方向部材１４の端部に互いに対向して設けられた枢支部材１７，１８と、前記第１、第２及び第３の脚体の一方の縦方向部材１４を回動自在に連結する連結部を有し、この連結部を支点として前記第１、第２及び第３の脚体を引き揃えた状態に折り畳み可能及び平面視で略Ｙ字形に展開可能に連結する連結部材１５，１６と、同一形状の第１、第２及び第３の天板構成部材１２ａ〜１２ｃからなり、隣接する一側部がヒンジ部材２３，２４を介してジグザグ状に連結され、しかも前記第１、第２及び第３の天板構成部材１２ａ〜１２ｃの長手方向の中間部が前記枢支部材１７，１８に回動自在に枢支された天板１２とからなる折り畳みテーブル。【選択図】    図３
2009045424.tif 000002
【特許請求の範囲】
【請求項１】
横方向部材１３とこの横方向部材１３の両端から鉛直方向に平行に突出する縦方向部材１４とからなり、同一形状の略Ｕ字形の複数の脚体１１と、
前記複数の脚体１１の各縦方向部材１４の端部に互いに対向して設けられた枢支部材１７，１８と、
前記各脚体１１の一方の縦方向部材１４を回動自在に連結する連結部を有し、この連結部を支点として前記複数の脚体１１を引き揃えた状態に折り畳み可能及び平面視で放射状に展開可能に連結する連結部材１５，１６と、
同一形状の複数の天板構成部材からなり、隣接する一側部がヒンジ部材２３，２４を介してジグザグ状に連結され、しかも前記各天板構成部材の長手方向の中間部が前記枢支部材１７，１８に回動自在に枢支された天板１２とからなり、
前記複数の脚体１１を折り畳んだとき、前記天板１２を構成する複数の天板構成部材が重ね合わせた状態に折り畳まれ、
前記複数の脚体１１を展開する動作に連動して前記天板１２を構成する複数の天板構成部材が平面視で多角形もしくは円形に展開されることを特徴とする折り畳みテーブル。
【請求項２】
前記複数の脚体１１は、第１、第２及び第３の脚体１１ａ〜１１ｃからなり、前記天板１２を構成する複数の天板構成部材は、前記第１、第２及び第３の脚体１１ａ〜１１ｃに個々に回動自在に枢支された第１、第２及び第３の天板構成部材１２ａ〜１２ｃからなることを特徴とする請求項１記載の折り畳みテーブル。
【請求項３】
前記複数の脚体は、第１〜第５の脚体４１ａ〜４１ｅからなり、前記天板１２を構成する複数の天板構成部材は、前記第１〜第５の脚体４１ａ〜４１ｅに個々に回動自在に枢支された第１〜第５の天板構成部材４２ａ〜４２ｅからなることを特徴とする請求項１記載の折り畳みテーブル。
【請求項４】
前記第１及び第３の脚体１１ａ，１３ｃの前記連結部側の縦方向部材１４の端部には枢支軸を支点として前記第２の脚体１１ｂの縦方向部材１４方向に回動自在な回動部材２０が設けられ、この回動部材２０には前記枢支部材１７が設けられていることを特徴とする請求項２記載の折り畳みテーブル。
【請求項５】
前記ヒンジ部材５３ａ〜５３ｅによってジグザグ状に連結された前記複数の天板構成部材の両端部相互は、天板１２の展開時にその状態を維持するロック機構６２によって連結されることを特徴とする請求項３記載の折り畳みテーブル。
【発明の詳細な説明】
【技術分野】
【０００１】
本発明は、例えば、組み立て、折り畳みが簡単で、行楽地等に携帯し、野外で使用するに便利な折り畳みテーブルに関する。
【背景技術】
【０００２】
組み立て、折り畳みが簡単で、行楽地等に携帯して野外で使用するに便利な折り畳みテーブルが知られている（例えば、特許文献１参照。）。特許文献１は、それぞれ一対の左側脚柱、右側脚柱及び中間脚柱を備え、これら脚柱の上端部に固定部材を介して天板支持バーを水平に架設したものである。さらに、一対の左側脚柱、右側脚柱及び中間脚柱の相互間をＸ状に交差するリンクによって連結し、左側脚柱と中間脚柱との間及び右側脚柱と中間脚柱との間をＸ状に交差するリンクによって連結したものである。
【０００３】
そして、天板支持バーには折り畳み可能な天板やグリルを搭載でき、テーブルを囲んでバーベキュー等が行えるようになっており、不使用時には左側脚柱、右側脚柱及び中間脚柱と天板支持バーとを分離し、リンクを折り畳むことにより、左側脚柱、右側脚柱及び中間脚柱を引き揃えた状態に折り畳むことができるように構成されている。
【特許文献１】特開２００２−９５５３０号公報
【発明の開示】
【発明が解決しようとする課題】
【０００４】
しかしながら、特許文献１のものは、左側脚柱、右側脚柱及び中間脚柱と天板支持バーとは別部材であり、脚柱の上端部に設けられた固定部材の一対の挟持片に天板支持バーを差し込んで連結する構造である。また、複数本の脚柱の相互間をＸ状に交差するリンクと可動部材によって連結しているため、脚柱に嵌合された可動部材を摺動させながらリンクを回動する構造である。
【０００５】
従って、組み立て、折り畳み操作が困難である。また、テーブルの周囲に椅子を並べ、テーブルを囲んだ状態に着座した場合、膝がＸ状に交差するリンクに当たってしまうという不都合があり、特に身体の大きい人にとっては使い勝手が悪い。
【０００６】
本発明は、前記事情に着目してなされたもので、その目的とするところは、組み立て、折り畳みが簡単であるとともに、組み立てた状態の強度が高い折り畳みテーブルを提供することにある。
【課題を解決するための手段】
【０００７】
本発明は、前記目的を達成するために、請求項１は、横方向部材１３とこの横方向部材１３の両端から鉛直方向に平行に突出する縦方向部材１４とからなり、同一形状の略Ｕ字形の複数の脚体１１と、前記複数の脚体１１の各縦方向部材１４の端部に互いに対向して設けられた枢支部材１７，１８と、前記各脚体１１の一方の縦方向部材１４を回動自在に連結する連結部を有し、この連結部を支点として前記複数の脚体１１を引き揃えた状態に折り畳み可能及び平面視で放射状に展開可能に連結する連結部材１５，１６と、同一形状の複数の天板構成部材からなり、隣接する一側部がヒンジ部材２３，２４を介してジグザグ状に連結され、しかも前記各天板構成部材の長手方向の中間部が前記枢支部材１７，１８に回動自在に枢支された天板１２とからなり、前記複数の脚体１１を折り畳んだとき、前記天板１２を構成する複数の天板構成部材が重ね合わせた状態に折り畳まれ、前記複数の脚体１１を展開する動作に連動して前記天板１２を構成する複数の天板構成部材が平面視で多角形もしくは円形に展開されることを特徴とする折り畳みテーブルにある。
【０００８】
請求項２は、請求項１の前記複数の脚体は、第１、第２及び第３の脚体１１ａ〜１１ｃからなり、前記天板１２を構成する複数の天板構成部材は、前記第１、第２及び第３の脚体１１ａ〜１１ｃに個々に回動自在に枢支された第１、第２及び第３の天板構成部材１２ａ〜１２ｃからなることを特徴とする。
【０００９】
請求項３は、請求項１の前記複数の脚体は、第１〜第５の脚体４１ａ〜４１ｅからなり、前記天板１２を構成する複数の天板構成部材は、前記第１〜第５の脚体４１ａ〜４１ｅに個々に回動自在に枢支された第１〜第５の天板構成部材４２ａ〜４２ｅからなることを特徴とする。
【００１０】
請求項４は、請求項２の前記第１及び第３の脚体１１ａ，１３ｃの前記連結部側の縦方向部材１４の端部には枢支軸を支点として前記第２の脚体１１ｂの縦方向部材１４方向に回動自在な回動部材２０が設けられ、この回動部材２０には前記枢支部材１７が設けられていることを特徴とする。
【００１１】
請求項５は、請求項３の前記ヒンジ部材５３ａ〜５３ｅによってジグザグ状に連結された前記複数の天板構成部材の両端部相互は、天板１２の展開時にその状態を維持するロック機構６２によって連結されることを特徴とする。
【発明の効果】
【００１２】
本発明によれば、脚体と天板が連結状態で、脚体の展開に連動して天板が折り畳み状態から展開されるため、折り畳み、組み立てが簡単かつスムーズに行える。さらに、脚体と天板が連結状態で折り畳み、組み立てできるため、従来のように複数の別部材を結合して組み立てるもののように部材の紛失もないという効果がある。さらに、本発明の折り畳みテーブルは、組立て時の強度が高いため、物置台としても使用でき、折り畳み時はコンパクトとなり、保管にスペースを要さず、また搬送、持ち運びが容易である。
【発明を実施するための最良の形態】
【００１３】
以下、本発明の実施の形態を図面に基づいて説明する。
【００１４】
図１〜図５は第１の実施形態を示し、図１は折り畳みテーブルの平面図、図２は図１のＡ−Ｏ−Ｂ線に沿う断面図、図３は折り畳み状態の斜視図、図４は図３の矢印Ｃ方向から見た図、図５は図２のＤ−Ｄ線に沿う断面図である。
【００１５】
図１及び図２に示すように、折り畳みテーブル１０は、脚体１１と天板１２とから構成されている。脚体１１について説明すると、同一形状の第１、第２及び第３の脚体１１ａ，１１ｂ，１１ｃからなり、これらはアルミニウム等の軽金属材料からなる中空角パイプを折曲することにより、横方向部材１３とこの横方向部材１３の両端から鉛直方向に平行に突出する縦方向部材１４とによって略Ｕ字形に形成されている。
【００１６】
第１、第２及び第３の脚体１１ａ，１１ｂ，１１ｃの内方の縦方向部材１４には第１と第２の脚体１１a，１１ｂを回動自在に連結する蝶番からなる連結部材１５と、第２と第３脚体１１ｂ，１１ｃを回動自在に連結する蝶番からなる連結部材１６が設けられている。そして、連結部材１５，１６を支点として第１、第２及び第３の脚体１１ａ，１１ｂ，１１ｃを引き揃えた状態に折り畳み可能であるとともに、平面視で略Ｙ字形（各脚体が１２０°間隔）に展開可能である。
【００１７】
第１、第２及び第３の脚体１１ａ，１１ｂ，１１ｃの各縦方向部材１４の端部には互いに対向して内側枢支部材１７と外側枢支部材１８が設けられている。内側枢支部材１７について説明すると、図３及び図４に示すように、第１と第３の脚体１１ａ，１１ｃの縦方向部材１４の端部には枢支軸１９が横方向に貫通して設けられ、枢支軸１９には第２の脚体１１ｂの縦方向部材１４方向に回動自在な回動部材２０が設けられている。この回動部材２０には枢支ピン２１が外側枢支部材１８方向に向かって突設されている。第２の脚体１１ｂの縦方向部材１４の端部にも枢支軸１９が横方向に貫通して設けられ、枢支軸１９には回動部材２０と同形状の固定部材２０ａが設けられ、この固定部材２０ａには枢支ピン２１が外側枢支部材１８方向に向かって突設されている。第１、第２及び第３の脚体１１ａ，１１ｂ，１１ｃの外側枢支部材１８には枢支ピン２２が枢支ピン２１に向かって突設されている。
【００１８】
次に、天板１２について説明すると、図１及び図３に示すように、プラスチック、アルミニウム、木材等の板状体からなる第１、第２及び第３の天板構成部材１２ａ，１２ｂ，１２ｃによって構成されている。第１、第２及び第３の天板構成部材１２ａ，１２ｂ，１２ｃは同一サイズの五角形であり、第１と第２の天板構成部材１２ａ，１２ｂはヒンジ部材２３によって回動自在に連結され、第２と第３の天板構成部材１２ｂ，１２ｃはヒンジ部材２４によって回動自在に連結されている。
【００１９】
第１と第２の天板構成部材１２ａ，１２ｂはヒンジ部材２３で山折りされ、第２と第３の天板構成部材１２ｂ，１２ｃはヒンジ部材２４で谷折りされ、第１、第２及び第３の天板構成部材１２ａ，１２ｂ，１２ｃはジグザグ状に連結されている。従って、第１、第２及び第３の天板構成部材１２ａ，１２ｂ，１２ｃは３枚重ね状態に折り畳み可能であり、展開時には正六角形の天板１２となる。
【００２０】
さらに、図５に示すように、第１、第２及び第３の天板構成部材１２ａ，１２ｂ，１２ｃの頂点となる角部の下面には切欠部２５が設けられ、この切欠部２５にはＬ字状の取付け金具２６が設けられている。取付け金具２６の内側面には枢支ピン２１と回動自在に嵌合する嵌合部２７が設けられている。また、第１、第２及び第３の天板構成部材１２ａ，１２ｂ，１２ｃの頂点と反対側の外側縁部には枢支ピン２２と回動自在に嵌合する嵌合部２８が設けられている。
【００２１】
従って、第１の脚体１１ａには第１の天板構成部材１２ａが枢支され、第２の脚体１１ｂには第２の天板構成部材１２ｂが枢支され、第３の脚体１１ｃには第３の天板構成部材１２ｃが枢支されている。そして、第１、第２及び第３の脚体１１ａ，１１ｂ，１１ｃを連結部材１５，１６を支点として折り畳んだとき、天板１２を構成する第１、第２及び第３の天板構成部材１２ａ，１２ｂ，１２ｃが重ね合わせた状態に折り畳まれる。第１、第２及び第３の脚体１１ａ，１１ｂ，１１ｃを連結部材１５，１６を支点として展開すると、その展開動作に連動して第１、第２及び第３の天板構成部材１２ａ，１２ｂ，１２ｃが水平状態となり平面視で正六角形の天板１２に展開される。
【００２２】
さらに、天板１２の両端部、つまり第１の天板構成部材１２ａのヒンジ部材２３と反対側及び第３の天板構成部材１２ｃのヒンジ部材２４と反対側には天板１２を展開した状態に結合する結合部材２９が設けられている。この結合部材２９は第１の天板構成部材１２ａの下面に突設されたロックピン３０と第３の天板構成部材１２ｃの下面に設けられ、ロックピン３０と係合する係合爪３１とから構成され、第１の天板構成部材１２ａと第３の天板構成部材１２ｃを結合できるように構成されている。
【００２３】
このように構成された折り畳みテーブル１０は、脚体１１と天板１２とが結合された構造であり、しかも脚体１１の展開に連動して第１、第２及び第３の天板構成部材１２ａ，１２ｂ，１２ｃが折り畳み状態から自動的に水平状態になって正六角形の天板１２となる。
【００２４】
なお、前記実施形態においては、天板１２が正六角形の場合について説明したが、正六角形に限らず、他の多角形でもよく、図６に示す第２の実施形態のように、扇状の第１、第２及び第３の天板構成部材３２ａ，３２ｂ，３２ｃによって円形の天板３２を構成してもよい。さらに、脚体１１を角パイプによって構成したが、丸パイプでもよく、限定されるものではない。
【００２５】
図７〜図１１は第３の実施形態を示し、図７は折り畳みテーブルの平面図、図８は同側面図、図９は折り畳み状態の斜視図、図１０は折り畳み途中の斜視図である。
【００２６】
図７〜図１０に示すように、折り畳みテーブル４０は、脚体４１と天板４２とから構成されている。脚体４１について説明すると、同一形状の第１〜第５の脚体４１ａから４１ｅからなり、これらはアルミニウム等の軽金属材料からなる中空角パイプを折曲することにより、横方向部材４３とこの横方向部材４３の両端から鉛直方向に平行に突出する縦方向部材４４とによって略Ｕ字形に形成されている。
【００２７】
第１〜第５の脚体４１ａ〜４１ｅの内方の縦方向部材４４には隣り合う脚体４１ａ〜４１ｅを回動自在に連結する蝶番からなる連結部材４５が設けられている。そして、連結部材４５を支点として第１〜第５の脚体４１ａ〜４１ｅを引き揃えた状態に折り畳み可能であるとともに、平面視で放射状（各脚体が７２°間隔）に展開可能である。
【００２８】
第１〜第５の脚体４１ａ〜４１ｅの各縦方向部材４４の端部には互いに対向して内側枢支部材４７と外側枢支部材４８が設けられている。内側枢支部材４７は、第１の実施形態の内側枢支部材１７の構造と同一であるため説明を省略する。
【００２９】
次に、天板４２について説明すると、図７及び図１０に示すように、プラスチック、アルミニウム、木材等の板状体からなる第１〜第５の天板構成部材４２ａ〜４２ｅによって構成されている。第１〜第５の天板構成部材４２ａ〜４２ｅは同一サイズの五角形であり、第１と第２の天板構成部材４２ａ，４２ｂはヒンジ部材５３ａによって回動自在に連結されている。同様に、第２と第３の天板構成部材４２ｂ，４２ｃ、第３と第４の天板構成部材４２ｃ，４２ｄ、第４と第５の天板構成部材４２ｄ，４２ｅもヒンジ部材５３ｂ〜５３ｄによって回動自在に連結されている。
【００３０】
第１と第２の天板構成部材４２ａ，４２ｂはヒンジ部材５３ａで山折りされ、第２と第３の天板構成部材４２ｂ，４２ｃはヒンジ部材５３ｂで谷折りされ、第３と第４の天板構成部材４２ｃ，４２ｄはヒンジ部材５３ｃで山折りされ、第４と第５の天板構成部材４２ｄ，４２ｅはヒンジ部材５３ｄで谷折りされ、第１〜第５の天板構成部材４２ａ〜４２ｅはジグザグ状に連結されている。従って、第１〜第５の天板構成部材４２ａ〜４２ｅは５枚重ね状態に折り畳み可能であり、展開時には正十角形の天板４２となる。
【００３１】
さらに、第１〜第５の天板構成部材４２ａ〜４２ｅの頂点となる角部、つまり天板４２の中心部における第１〜第５の天板構成部材４２ａ〜４２ｅの結合構造は、第１の実施形態と基本的に同一構造であり説明を省略する。
【００３２】
従って、第１の脚体４１ａには第１の天板構成部材４２ａが枢支され、第２の脚体４１ｂには第２の天板構成部材４２ｂが枢支され、同様に、第３の脚体４１ｃには第３の天板構成部材４２ｃが、第４の脚体４１ｄには第４の天板構成部材４２ｄが、第５の脚体４１ｅには第５の天板構成部材４２ｅが枢支されている。そして、第１〜第５の脚体４１ａ〜４１ｅを連結部材４５を支点として折り畳んだとき、天板４２を構成する第１〜第５の天板構成部材４２ａ〜４２ｅが重ね合わせた状態に折り畳まれる。第１〜第５の脚体４１ａ〜４１ｅを連結部材４５を支点として展開すると、その展開動作に連動して第１〜第５の天板構成部材４２ａ〜４２ｅが水平状態となり平面視で正十角形の天板４２に展開される。
【００３３】
さらに、天板４２の両端部、つまり第１の天板構成部材４２ａのヒンジ部材５３ａと反対側及び第５の天板構成部材４２ｅのヒンジ部材５３ｄと反対側には天板４２を展開した状態に結合する結合部材５９が設けられている。この結合部材５９は、第１の実施形態と同様に、ロックピン６０と、このロックピン６０と係合する係合爪６１とから構成され、第１の天板構成部材４２ａと第５の天板構成部材４２ｅを結合できるように構成されている。
【００３４】
また、第１の天板構成部材４２ａと第２の天板構成部材４２ｂとを枢支するヒンジ部材５３ａに対応する箇所には展開時に第１の天板構成部材４２ａと第２の天板構成部材４２ｂとをロックするロック機構６２が設けられている。このロック機構６２は、図１１に示すように、第１の天板構成部材４２ａの外周縁に位置し、その上面と平行にスライド溝６３が設けられ、第２の天板構成部材４２ｂにはスライド溝６３と対向するロック長穴６４が設けられている。スライド溝６３には先端部がロック長穴６４に対して挿脱可能なロックピン６５が軸方向に進退自在に挿入されている。ロックピン６５の基端部には操作部６６が設けられ、操作部６６を摘み、ロックピン６５を進退させることによって第１の天板構成部材４２ａと第２の天板構成部材４２ｂとをロックできるようになっている。なお、第２の天板構成部材４２ｂと第３の天板構成部材４２ｃ、第３の天板構成部材４２ｃと第４の天板構成部材４２ｄ、第４の天板構成部材４２ｄと第５の天板構成部材４２ｅの間においても同様のロック機構６２が設けられている。
【００３５】
このように構成された折り畳みテーブル４０は、脚体４１と天板４２とが結合された構造であり、しかも脚体４１の展開に連動して第１〜第５の天板構成部材４２ａ〜４２ｅが折り畳み状態から自動的に水平状態になって正十角形の天板４２となる。なお、天板構成部材は、５枚に限定されず、６枚、７枚にして天板を構成してもよい。
【００３６】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組み合わせてもよい。
【図面の簡単な説明】
【００３７】
【図１】本発明の第１の実施形態を示し、折り畳みテーブルの平面図。
【図２】同実施形態を示し、図１のＡ−Ｏ−Ｂ線に沿う断面図。
【図３】同実施形態を示し、折り畳み状態の斜視図。
【図４】同実施形態を示し、図３の矢印Ｃ方向から見た図。
【図５】同実施形態を示し、図２のＤ−Ｄ線に沿う断面図。
【図６】本発明の第２の実施形態を示し、折り畳みテーブルの折り畳み過程の斜視図。
【図７】本発明の第３の実施形態を示し、折り畳みテーブルの平面図。
【図８】同実施形態を示し、折り畳みテーブルの側面図。
【図９】同実施形態を示し、折り畳み状態の斜視図。
【図１０】同実施形態を示し、折り畳み途中の斜視図。
【図１１】同実施形態を示し、ロック機構の断面図及び側面図。
【符号の説明】
【００３８】
１０、４０…折り畳みテーブル、１１、４１…脚体、１２、４２…天板、１１ａ〜１１ｃ…第１、第２及び第３の脚体、１２ａ〜１２ｃ…第１、第２及び第３の天板構成部材、１５，１６…連結部材、１７，１８…枢支部材、２３，２４，５３ａ〜５３ｅ…ヒンジ部材、４１ａ〜４１ｅ…第１〜第５の脚体、４２ａ〜１２ｅ…第１〜第５の天板構成部材、６２…ロック機構
【図１】
2009045424.tif 000003
【図２】
2009045424.tif 000004
【図３】
2009045424.tif 000005
【図４】
2009045424.tif 000006
【図５】
2009045424.tif 000007
【図６】
2009045424.tif 000008
【図７】
2009045424.tif 000009
【図８】
2009045424.tif 000010
【図９】
2009045424.tif 000011
【図１０】
2009045424.tif 000012
【図１１】
2009045424.tif 000013